(57)【要約】【課題】熟練者でなくても、複雑な組紐を容易に製作することができる組紐製作用テンプレートおよび組紐製作器具を得る。【解決手段】中央部に制作中の組紐が通る孔３４を有し、組台に装着して使用する組紐製作用テンプレート。組台との相対位置を決める位置決め部と、複数の糸を導くための目印として周方向に一定間隔で付されている糸位置マーク３２と、初めに糸を通す位置を示す糸の数に対応した数のスタートマーク３３と、糸を交差させる順番を示す順番マークと、を有する。【選択図】図１
2020084374.tif 000002
【特許請求の範囲】
【請求項１】
中央部に制作中の組紐が通る孔を有し、組台に装着して使用する組紐製作用テンプレートであって、
組台との相対位置を決める位置決め部と、
複数の糸を導くための目印として周方向に一定間隔で付されている糸位置マークと、
初めに糸を通す位置を示す前記糸の数に対応した数のスタートマークと、
前記糸を交差させる順番を示す順番マークと、を有する組紐製作用テンプレート。
【請求項２】
前記糸位置マークは、最も外側の周縁部に付されている請求項１記載の組紐製作用テンプレート。
【請求項３】
製作する組紐のパターンごとに、前記スタートマークの位置と前記順番マークで示される順番が異なる請求項１または２記載の組紐製作用テンプレート。
【請求項４】
組台と、前記組台の上端部に装着されるテンプレートを有してなる組紐製作器具であって、
前記テンプレートは、請求項１乃至３のいずれかに記載の組紐製作用テンプレートである組紐製作器具。
【請求項５】
前記組台の上端の外周部には、前記糸位置マークを通る糸を放射状に導くために、前記糸位置マークの数と同じ数のピンが周方向に一定間隔で前記組台の上端面から突出して設けられている請求項４記載の組紐製作器具。
【発明の詳細な説明】
【技術分野】
【０００１】
本発明は、組紐製作用テンプレートおよび組紐製作器具に関するものである。
【背景技術】
【０００２】
組紐は、複数本の糸を一定のパターンで絡ませながら組み上げることによって製作した紐である。組紐は、美術工芸品として扱われるほど美的感覚に訴えるものがある一方で、カーボン繊維などを組み上げることにより、ゴルフクラブや釣り竿の強化素材のような工業用途もある。本発明は、手作業による組紐の制作に用いる組紐製作用テンプレートおよび組紐製作器具に関する。
【０００３】
複数の糸を所定の順番で繰り返し絡み合わせながら組み上げることによって所定のパターンの組紐が製作される。糸の数、糸の太さ、糸の色の組み合わせ、糸を絡み合わせる順番などによって様々な組紐を製作することができる。単純な組紐であれば、単純な形のディスクを使用して組み上げることができるが、糸の数が増えるに従い、糸を絡み合わせる順番および糸を置く位置などの組み合わせが加速度的に複雑になり、熟練者でなければ製作は難しい。
【０００４】
例えばミサンガのような比較的簡単な組紐を製作するための器具として、単純な形状の組紐ディスクが市販されている。組紐ディスクは、中央部に制作中の組紐が通る孔を有し、製作中の組紐から放射状に延びる糸を外周縁部で挟み込むための複数の切り欠きを周方向に一定間隔で有している。非特許文献１および２に記載されている手芸用組紐編組器具はその例である。また、市販の組紐ディスクには、外周縁部の切り欠きの全てに、周方向に順に番号を付したものもある。
【０００５】
比較的単純で短い組紐であれば、組紐ディスクを手に持ちながら組み上げることも可能であるが、ある程度以上に複雑な組紐を製作する場合は、組台といわれる器具が用いられる。組台は、ベース板と、天板と、ベース板の上方で天板を支持するための支柱を有してなる。天板が前記組紐ディスクに相当し、中央に制作中の組紐が通る孔を有している。
【０００６】
熟練者が使用する組台の天板は、例えばドーナツ状の単純な形状であって、目印や切り欠きの類はない。したがって、組紐製作の未熟練者が組紐を製作しようとして従来の組台を使用しても、糸の組み上げ手順がわからず、複雑な組紐を製作できるようになるには長い年月をかけて熟練する必要がある。
【先行技術文献】
【特許文献】
【０００７】
【非特許文献１】意匠登録第１５４２７２８号公報
【非特許文献２】意匠登録第１５４２７２９号公報
【発明の概要】
【発明が解決しようとする課題】
【０００８】
本発明は、熟練者でなくても、複雑な組紐を容易に製作することができる組紐製作用テンプレートおよび組紐製作器具を提供することを目的とする。
【課題を解決するための手段】
【０００９】
本発明に係る組紐製作用テンプレートは、
中央部に制作中の組紐が通る孔を有し、組台に装着して使用する組紐製作用テンプレートであって、
組台との相対位置を決める位置決め部と、
複数の糸を導くための目印として周方向に一定間隔で付されている糸位置マークと、
初めに糸を通す位置を示す前記糸の数に対応した数のスタートマークと、
前記糸を交差させる順番を示す順番マークと、を有することを最も主要な特徴とする。
【００１０】
本発明に係る組紐製作器具は、
組台と、前記組台の上端部に装着されるテンプレートを有してなる組紐製作器具であって、
前記テンプレートは、前記組紐製作用テンプレートであることを特徴とする。
【発明の効果】
【００１１】
本発明によれば、初めに糸を通す位置が糸の数に対応した数のスタートマークで指示されているため、必要な糸の数と各糸の初期位置がわかる。あとは、順番マークで指示されている順番に従い糸を順に交差させながら組み上げていけば、所定のパターンの組紐を製作することができる。
【図面の簡単な説明】
【００１２】
【図１】本発明に係る組紐製作用テンプレートの一実施例であって、（ａ）は平面図、（ｂ）は初期の糸の配置を示す平面図、（ｃ）〜（ｈ）は糸を組み上げる様子を順に示す平面図である。
【図２】本発明に係る組紐製作用テンプレートの別の実施例であって、（ａ）は平面図、（ｂ）は初期の糸の配置を示す平面図、（ｃ）〜（ｈ）は糸を組み上げる様子を順に示す平面図である。
【図３】本発明に係る組紐製作用テンプレートのさらに別の実施例であって、（ａ）は平面図、（ｂ）は初期の糸の配置を示す平面図、（ｃ）〜（ｈ）は糸を組み上げる様子を順に示す平面図である。
【図４】本発明に係る組紐製作用テンプレートのさらに別の実施例であって、（ａ）は平面図、（ｂ）は初期の糸の配置を示す平面図、（ｃ）〜（ｈ）は糸を組み上げる様子を順に示す平面図である。
【図５】本発明に係る組紐製作器具の一実施例であって組台部分を示す分解斜視図である。
【図６】本発明に係る組紐製作器具の別の実施例を示す分解斜視図である。
【図７】上記別の実施例に係る組台の平面図である。
【図８】上記組台に装着される組紐製作用テンプレートの例を示す平面図である。
【図９】上記組台に装着される組紐製作用テンプレートの別の例を示す平面図である。
【図１０】上記組台に装着される組紐製作用テンプレートのさらに別の例を示す平面図である。
【発明を実施するための形態】
【実施例】
【００１３】
以下、本発明に係る組紐製作用テンプレートおよび組紐製作器具の実施例について図面を参照しながら説明する。
【００１４】
［組紐製作器具１］
まず、組台と、この組台に装着される組紐製作用テンプレートを有してなる組紐製作器具の第１の実施例について説明する。図５は組台の一例を示し、図１乃至図４は上記組台に装着される組紐製作用テンプレートのそれぞれ異なる実施例を示す。
【００１５】
図５において、組台１０は、ベース板１１と、天板１２と、ベース板１１と天板１２とを結合してベース板１１の上方で天板１２を支持する複数本の支柱１３を有してなる。図示の例では、ベース板１１は８角形、天板１２は円板形をしているが、これらの形に限定されるものではない。各支柱１３の上端は天板１２に天板１２の下面側からねじ込まれて天板１２に結合され、各支柱１３の下端はベース板１１を下面側から貫いたねじ１５によってベース板１１の上面に結合されている。
【００１６】
天板１２の中央部には、製作中の組紐を通す円形の孔１７が形成されている。製作中の組紐は、孔１７を上側から下側に向け貫通し、天板１２とベース１１と支柱１３で画される空間に垂れ下がる。天板１２の外周縁部には、複数のピン１６が周方向に等間隔で、天板１２の上面から上方に突出させて設けられている。天板１２の上面側の中央部には、後で説明するテンプレートの位置決めスリットと嵌まり合う位置決め部材２０が取り付けられている。
【００１７】
位置決め部材２０は、リング部分２０１と、このリング部分２０１から四方に放射状に、かつ、斜め下方に延び出た４本の脚部２０２を有してなる。４本の脚部２０２の先端部が天板１２に嵌入されることにより、位置決め部材２０のリング部分２０１が天板１２の上面から上方に離間し、かつ、上記４本の脚部２０２が放射状に延びた形で位置決め部材２０が天板１２に結合されている。位置決め部材２０のリング部分２０１と天板１２の孔１７は上下方向に間隔をおいて重なり合い、これらの孔を通して製作中の組紐が垂れ下がる。
【００１８】
位置決め部材２０は、前記テンプレートを天板１２に位置決めする機能を有している。後で詳細に説明するように、前記複数のピン１６がそれぞれテンプレートに設けた孔に嵌まり合うことによって、天板１２に対してテンプレートを位置決めするようにしてもよい。
【００１９】
[組紐製作用テンプレートの実施例１]
次に、前記組台１０に装着して使用する組紐製作用テンプレートの例を説明する。図１は組紐製作用テンプレートの第１の実施例であって、「十六丸源氏組」といわれる１６本の糸を所定の順序で組み上げた組紐を製作するためのテンプレートの例を示している。
【００２０】
図１において、テンプレート３０は、組台１０の上端部すなわち天板１２の上面に装着して使用するもので、天板１２とほぼ同じ円形である。図１（ａ）に示すように、テンプレート３０は、外周縁部において周方向に一定間隔で複数の孔３１を有している。各孔３１は、それぞれの外径が前記ピン１６の内径とほぼ同じで、ピン１６の数と同じ数だけ、かつピン１６の周方向の間隔と同じ間隔で設けられている。したがって、各孔３１に天板１２の各ピン１６を貫通させることができ、こうすることにより、テンプレート３０を組台１０に位置決めして装着することができる。
【００２１】
テンプレート３０は、孔３１よりも内周側に、円形の糸位置マーク３２が付されている。糸位置マーク３２の数は孔３１の数と同じであり、周方向に一定間隔で付されている。各糸位置マーク３２は、テンプレート３０の周方向において、隣接する上記孔３１相互の中間に付されている。換言すれば、テンプレート３０中心位置から各糸位置マーク３２および各孔３１の中心を通る半径方向の線を想定すると、各糸位置マーク３２を通る半径方向の仮想線は、各孔３１を通る半径方向の仮想線相互の中間に付されている。糸位置マーク３２は、複数の糸を放射状に導くための目印となる。
【００２２】
糸位置マーク３２と各孔３１はそれぞれ４０個あるが、すべての糸位置マーク３２の位置を糸が通るわけでない。糸位置マーク３２は円形のマークであって、糸位置マーク３２には円形のマークの中に数字が付されたものと数字のないものがある。また、図示の例では、数字は１から１６まである。これらの数字は、糸を交差させる順番を示す順番マークである。順番マークは、糸位置マーク３２を示す円形のマークの外に記してもよい。
【００２３】
糸位置マーク３２よりも内周側には、各糸位置マーク３２と同じ数の円形のマークが各糸位置マーク３２の中心とテンプレート３０の中心とを結ぶ半径方向の仮想線上に、周方向に等間隔で記されている。糸位置マーク３２よりも内周側の上記円形のマークは、円形の内部が塗り潰された黒丸（●）状のものと、空白の白丸（○）状のものがある。黒丸状のマークは、初めに糸を通す位置を示すスタートマーク３３である。スタートマーク３３の数は糸の数に対応しており、図１の例では１６個ある。スタートマーク３３は周方向に一定のパターンで配置されている。
【００２４】
テンプレート３０の中央には円形の孔３４が形成され、孔３４の周縁の４か所から半径方向外方に向かってスリット３５が形成されている。前記組台１０の位置決め部材２０のリング部分２０１が上記孔３４を貫通し、位置決め部材２０の各脚部２０２が上記スリット３５を貫通する。こうして、組台１０の天板１２に対するテンプレート３０の回転方向の位置決めがなされる。組台１０の位置決め部材２０とテンプレート３０のスリット３５で位置決めする図示の例の場合、テンプレート３０の前記孔３１は不要であり、孔３１の位置よりも小径位置で切断されていてもよい。
【００２５】
［組紐製作の手順］
次に、テンプレート３０を使用した組み紐製作の手順を説明する。テンプレート３０を組台１０の天板１２の上面に位置決めした状態で、１６本の糸をスタートマーク３３に合わせて配置する。各糸の一端は互いに結合されて一体となり、位置決め部材２０のリング部分２０１、前記テンプレート３０の孔３４および組台１０の天板１２の孔１７の中央付近にある。１６本の糸は、組上がる組紐の美観を想定した色、太さ、素材などが選定される。
【００２６】
図１（ｂ）は、１６本の糸をスタートマーク３３に合わせて放射状に配置した状態を示す。各糸の動きをわかりやすく説明する都合上、各糸に「ア」から「タ」までの符号を、動かす順に付している。すべてのスタートマーク３３の位置を各糸が通るとともに、これらの糸は糸位置マーク３２の上を通っている。アイウエオ順の符号が付された糸は順に、「ア」と「イ」、「ウ」と「エ」、「オ」と「カ」、というように２本が同じ色と太さの糸で組をなしている。もっとも、製作される組紐の外観に現れる美的効果を想定して、組をなす糸の色や太さなどを意図的に変えてもよい。
【００２７】
スタート位置における各糸はさらに、位置決め孔３１を貫いてテンプレート３０から突出しているピン１６をガイドとしてピン１６相互間を通っている。各糸は、組玉と呼ばれる重りを兼ねた糸巻き状の部材に巻かれて、天板１２の外周縁から垂れ下がる。
【００２８】
図１（ｂ）を参照するとわかるように、スタート位置では、前記順番マークのうち奇数が付されたマークの位置を糸が通り、偶数が付されたマークの位置は空いている。スタート位置では、テンプレート３０の左右方向の中心線をＸ軸、これに直交する上下方向の中心線をＹ軸とすると、１６本の糸がＸ軸およびＹ軸に対して線対称に配置されている。
【００２９】
図１（ｂ）に示すスタート位置から、図１（ｃ）に示すように、順番マーク「１」を通る符号「ア」の糸を、各位置が結合されている中心部を跨ぐようにして順番マーク「２」に移動させる。同様に、順番マーク「３」を通る符号「イ」の糸を順番マーク「４」に移動させる。糸「ア」と「イ」の位置は、移動前も移動後もＹ軸に対して対称位置であるが、移動前と移動後ではＹ軸に対する角度が異なる。
【００３０】
続いて、図１（ｄ）に示すように、順番マーク「５」を通る符号「ウ」の糸を順番マーク「６」に移動させ、順番マーク「７」を通る符号「エ」の糸を順番マーク「８」に移動させる。図１（ｃ）に示す糸の移動方向は図において下から上であるが、図１（ｄ）に示す糸の移動方向は図において上から下である。もっとも、結果的には水平面に装着されたテンプレート３０の平面上における糸の移動である。
【００３１】
続いて、図１（ｅ）に示すように、順番マーク「９」を通る符号「オ」の糸を順番マーク「１０」に移動させ、順番マーク「１１」を通る符号「カ」の糸を順番マーク「１２」に移動させる。図１（ｅ）に示す糸の移動方向は図において右から左である。糸「オ」と「カ」の位置は、移動前も移動後もＸ軸に対して対称位置であるが、移動前後においてＸ軸に対する角度が異なる。
【００３２】
さらに、図１（ｆ）に示すように、順番マーク「１３」を通る符号「キ」の糸を順番マーク「１４」に移動させ、順番マーク「１５」を通る符号「ク」の糸を順番マーク「１６」に移動させる。図１（ｆ）に示す糸の移動方向は図において左から右である。
【００３３】
こうして、１６本の糸のうち「ア」〜「ク」の８本の糸が移動し、一定のパターンによる組み付けが終わる。１回目の組み付け終了時における１６本の糸はＸ軸およびＹ軸に対して線対称に配置されている。図１（ｇ）は、このときの各糸の配置を示しており、奇数の順番マークが空き、偶数の順番マークの位置を糸が通っている。
【００３４】
残りの８本の糸「ケ」〜「タ」の組み付け作業を同様に行うために、各糸を図１（ｂ）に示すスタート位置のパターンと同じパターンに戻す。図１（ｇ）に、テンプレート３０の外周に沿って示す矢印は、「ア」〜「タ」で示す１６本の糸をスタート位置に戻す方向と戻す位置を示している。
【００３５】
糸をスタート位置に戻す動きは、前記組み付ける動きとは異なり、各糸を、テンプレート３０の平面に沿って隣接するスタートマーク３３の位置までシフトさせて戻す動きである。糸をスタート位置に戻す動きは、前回の組み付け作業で移動しなかった糸を順番マークの位置まで移動させる動きでもある。図１（ｈ）は各糸をシフトした状態を示しており、各糸の配置パターンは図１（ｂ）に示すスタート時の配置パターンと同じであるが、各スタートマーク位置を通る糸が入れ替わっている。
【００３６】
具体的に説明すると、順番マーク「１」には「ケ」の糸が糸位置マーク３２の２個分だけ反時計回り（以下「ＣＣＷ」という）にシフトすることによって位置している。順番マーク「６」の位置にあった「ウ」の糸が糸位置マーク３２の１個分だけＣＣＷにシフトしている。順番マーク「３」には「コ」の糸が時計回り（以下「ＣＷ」という）に糸位置マーク３２の２個分だけシフトし、順番マーク「８」の位置にある「ウ」の糸が糸位置マーク３２の１個分だけＣＷにシフトしている。
【００３７】
ほかの糸も、上に述べたシフトパターンと同じパターンでシフトし、１６個のスタートマーク３３の位置に糸が通っている。「１」から「１６」までの数字が付された順番マークのうち奇数の位置を糸が通り、偶数の位置は空いている。この状態から、図１（ｃ）〜（ｇ）について説明したように、順番マークに従って順に糸の組み付けを行う。さらに図１（ｈ）に示すように各糸をシフトして初めの配置パターンにし、組み付け作業を繰り返す。
【００３８】
このようにして組み付け作業を繰り返すことにより「十六丸源氏組」と称される組紐が製作され、前記位置決め部材２０のリング部分２０１と天板１２の孔１７を通して製作中の組紐が垂れ下がる。
【００３９】
以上説明した組紐製作用テンプレート３０の実施例によれば、複数の糸を通すべき糸位置マーク３２および上記複数の糸を初めに通すべき位置がスタートマーク３３で示され、各糸を組み付けていく順番が順番マークで示されている。したがって、上記実施例に係るテンプレート３０を使用することにより、組紐製造の非熟練者であっても、容易に、複雑なパターンの組紐を製作することができる。
【００４０】
以上説明した組紐製作用テンプレート３０と前記組台１０とを組み合わせた組紐製作器具の実施例によれば、各糸を通すべき位置が位置決めピン１６によって区分されているため、隣接する糸同士が絡みにくいという利点がある。
【００４１】
[組紐製作用テンプレートの実施例２]
図２は組紐製作用テンプレートの第２の実施例を示すもので、「Ｚ−凹凸ねじり１６本組」といわれる組紐を製作するためのものである。基本的には図１に示す第１の実施例と同様であって、各糸の初めの配置位置、各糸を交差させる順番および一連の組み付け作業が終了した後の各糸のシフトパターンが異なるだけである。したがって、各構成部分に付した符号も共通にしている。
【００４２】
図２（ａ）において、円板状の組紐製作用テンプレート３０は、中心部において組紐が通る孔３４、組台のピン１６が通る外周縁部の孔３１およびスリット３５を有する。テンプレート３０はまた、糸位置マーク３２およびこれらの糸位置マーク３２のうちのいくつかに付された「１」〜「１６」までの順番マーク、初めに糸を通す位置を示すスタートマーク３３を有している。スタートマーク３３は糸の数に対応した数、したがって、図示の例では１６か所に「●」の形で付されている。
【００４３】
図２（ｂ）は、上記テンプレート３０に、初めに糸を通した状態を示す。前記糸の数に対応した数のスタートマーク３３の位置を糸が通っている。１６本の糸のうち８本が順番マークを示す数字の奇数番の位置を通り、偶数番の順番マークは空いている。「ア」〜「タ」の符号が付された糸は、「ア」と「イ」、「ウ」と「エ」、「オ」と「カ」、というように２本ずつペアとなって同じ色と太さの糸が使用されている。
【００４４】
図２（ｃ）〜（ｆ）は、各糸の組み付け手順を示している。各糸の組み付けは、順番マークに従い、「１」の位置にある「ア」の糸を「２」の位置に、「３」の位置にある「イ」の糸を「４」の位置に動かす、というように行う。図２（ｇ）は一連の糸の組み付けを終わり、続いて各糸をスタートマーク３３の位置までシフトする様子を示している。図２（ｇ）においてテンプレート３０の外周側に記された実線の矢印は、シフトする方向とシフト位置を示す。この例では、すべての糸がスタートマーク３３の１個分だけＣＷ方向にシフトされる。
【００４５】
図２（ｆ）は、各糸のシフトによって再び各糸を組み付けるために、各糸がスタート位置に配置されたことを示している。ただし、各スタートマーク３３の位置にある糸は当初のスタート位置にあった糸とは異なっている。以上のようにして各糸を組み付けることにより、「Ｚ−凹凸ねじり１６本組」といわれる組紐を製作することができる。本実施例においても、前記第１の実施例と同様の効果を得ることができる。
【００４６】
[組紐製作用テンプレートの実施例３]
図３は組紐製作用テンプレートの第３の実施例を示すもので、「十六金剛組（１６Ｓ−スパイラル）」といわれる組紐を製作するためのものである。基本的には前記第１、第２の実施例と同様であって、各構成部分に付した符号も共通である。
【００４７】
図３（ａ）において、円板状の組紐製作用テンプレート３０は、中心部の孔３４、外周縁部の孔３１およびスリット３５を有する。テンプレート３０は、糸位置マーク３２およびこれらの糸位置マーク３２のうちの１６個に付された「１」〜「１６」までの順番マーク、初めに糸を通す位置を示すスタートマーク３３を有している。スタートマーク３３は糸の数に対応した１６か所に「●」の形で付されている。
【００４８】
図３（ｂ）は、上記テンプレート３０に、初めに糸を通した状態を示す。前記糸の数に対応した数のスタートマーク３３の位置を糸が通っている。１６本の糸のうち８本が順番マークを示す数字の奇数番の位置を通り、偶数番の順番マークは空いている。「ア」〜「タ」の符号が付された糸は、「ア」と「イ」、「ウ」と「エ」、「オ」と「カ」、というように２本をペアとして同じ色と太さの糸になっている。
【００４９】
図３（ｃ）〜（ｆ）は、各糸の組み付け手順を示している。各糸の組み付けは、順番マークに従い、「１」の位置にある「ア」の糸を「２」の位置に、「３」の位置にある「イ」の糸を「４」の位置に動かす、というように行う。図２（ｇ）は一連の糸の組み付けを終わった状態を、図３（ｈ）は、図３（ｇ）の状態から各糸をスタートマーク３３の位置までシフトした様子を示している。
【００５０】
以上のようにして各糸を組み付けることにより、「Ｚ−凹凸ねじり１６本組」といわれる組紐を製作することができる。本実施例においても、前記第１、第２の実施例と同様の効果を得ることができる。
【００５１】
[組紐製作用テンプレートの実施例４]
図４は組紐製作用テンプレートの第３の実施例を示すもので、「菱瀬組」といわれる組紐を製作するためのものである。基本的には前記第１〜第３の実施例と同様であって、各構成部分に付した符号も共通にしている。
【００５２】
図４（ａ）において、円板状の組紐製作用テンプレート３０は、中心部の孔３４、外周縁部の孔３１およびスリット３５を有する。テンプレート３０は、糸位置マーク３２およびこれらの糸位置マーク３２のうちの１６個に付された「１」〜「１６」までの順番マーク、初めに糸を通す位置を示すスタートマーク３３を有している。スタートマーク３３は糸の数に対応した１６か所に「●」の形で付されている。
【００５３】
図４（ｂ）は、上記テンプレート３０に、初めに糸を通した状態を示しており、スタートマーク３３の位置を糸が通っている。図４（ｃ）〜（ｆ）は、各糸の組み付け手順を示している。各糸の組み付けは、順番マークに従い、「１」の位置にある「ア」の糸を「２」の位置に、「３」の位置にある「イ」の糸を「４」の位置に動かす、というように行う。図４（ｇ）は一連の糸の組み付けを終わった状態を、図４（ｈ）は、図４（ｇ）の状態から各糸をスタートマーク３３の位置までシフトした様子を示している。
【００５４】
本実施例においても、前記第１〜第３の実施例と同様の効果を得ることができる。
【００５５】
［組紐製作器具２］
図６、図７は、組紐製作器具の第２の実施例を示す。本実施例も、前述の組紐製作器具の第１の実施例と同じく、組台１００と組紐製作用テンプレート１３０を有してなる。組台１００は、ベース板１１１と、天板１１２と、これらベース板１１１と天板１１２を結合する複数の支柱１１３を有してなる。ベース板１１１と、天板１１２、支柱１１３の結合構造は前記実施例と同様である。
【００５６】
天板１１２は、外周縁部に複数のピン１１６を周方向に等間隔で有している。天板１１２は、ピン１１６よりも内周側に円形の窪み１１８を有し、窪み１１８の中心部には、四角形の角を直線で削ぎ取った形の隆起部１２０を有し、さらに中心孔１１７を有している。
【００５７】
組紐製作用テンプレート１３０は、外周が円形で、内周側に前記隆起部１２０と同じ形の位置決め孔１３４を有している。組紐製作用テンプレート１３０の外径は前記窪み１１８の外周側の周壁の径と同じで、窪み１１８内に組紐製作用テンプレート１３０が嵌る。また、窪み１１８内に組紐製作用テンプレート１３０が嵌った状態で位置決め孔１３４が隆起部１２０によって貫かれ、組台１００の天板１１２に対してテンプレート１３０が位置決めされる。
【００５８】
[組紐製作用テンプレートの実施例５]
図８は、上記組台１００とともに使用される組紐製作用テンプレートの実施例の一つを示す。この組紐製作用テンプレート１３０が、前述のテンプレート３０と異なる点は、四角形の角を直線で削ぎ取った形の位置決め孔１３４を有している点であって、他の構成は前述の実施例と変わりがない。すなわち、組台１００との相対位置を決める位置決め部である位置決め孔１３４、複数の糸を導くための目印として周方向に一定間隔で付されている糸位置マーク１３２を有する。
【００５９】
さらに、テンプレート１３０は、初めに糸を通す位置を示す糸の数に対応した数のスタートマーク１３３と、糸を交差させる順番を示す順番マークを有する。スタートマーク１３３は、一定の周方向の配置パターンで付されている。糸位置マーク１３２は円形のマークであり、上記糸位置マーク１３２のうち半数のマーク内に、上記順番マークを示す数字が付されている。
【００６０】
図８に示すテンプレート１３０は、組紐製作用テンプレートの前記第２の実施例と同じく「Ｚ−凹凸ねじり１６本組」といわれる組紐の製作用で、糸の組み付け手順および各糸のシフト操作手順は第２の実施例の場合と同じである。図８の中に示されている矢印は、図２において説明した、各糸を初めのパターンに戻すときのシフト方向及びシフト位置を示している。
【００６１】
本実施例においても、組台１００のピン１１６が、糸位置マーク１３２と同じ数だけ、糸位置マーク１３２の中心を通るテンプレート１３０の半径方向の線上に配置されている。ピン１１６は、テンプレート１３０の半径方向に通る各糸を区分して、組み付け手順のミスをなくする役目を果たす。
【００６２】
[組紐製作用テンプレートの実施例６]
図９は、上記組台１００とともに使用される組紐製作用テンプレートの別の実施例を示す。この組紐製作用テンプレート１３０は、「１２本畔組」といわれる組紐を製作するためのものである。このテンプレート１３０も、糸位置マーク１３２、スタートマーク１３３、位置決め孔１３４を有している。
【００６３】
糸位置マーク１３２は円形のマークであって、全部で４０個付されている。４０個の上記糸位置マーク１３２のうち２４個の糸位置マーク１３２内に、前記順番マークを示す数字が付されている。スタートマーク１３３は、奇数の順番マークに対応して付され、偶数の順番マークは、奇数番の位置にある糸を組み付けるにときに受け入れるために空いている。
【００６４】
各糸を一連の組み付け順に従って組み付けた後、各糸をシフトさせて初めのパターンに戻すときの動きを、図９中に矢印で示している。
【００６５】
本実施例に係る組紐製作用テンプレートも、これまで説明してきた実施例に係る組紐製作用テンプレートと同様の効果を奏する。
【００６６】
図１〜図５および図８に示すテンプレートは１６本の糸を使用するものであり、図９に示すテンプレートは１２本の糸を使用するものである。本発明に係る組紐製作用テンプレートは、使用する糸の数が前記実施例のものに限定されるものではなく、１６本以上のものにも、１２本以下のものにも適用可能である。また、製作しようとする組紐のパターンに応じて、糸位置マーク、スタートマークおよび順番マークを設定することにより、どのようなパターンの組紐であっても製作することができる。
【００６７】
[組紐製作用テンプレートの実施例７]
ここまで説明してきたテンプレートは、１枚のテンプレートにつき一つのパターンの組紐を製作するものであったが、１枚のテンプレートにつき複数のパターンの組紐を製作できるようにすることも可能である。図１０はその例を示しており、「江戸八つ組」および「唐八つ組」といわれる二つのパターンの組紐を製作するのに使用される。図１０に示す例では、テンプレートの外周側に付した順番マークを使って一つのパターンの組紐を、内周側に付した順番マークを使って他の一つのパターンの組紐を製作することができる。
【００６８】
図１０に示すテンプレートの例では、二つの組紐パターンを、ともに８本の糸を使用して組み付けるものであり、各糸の組み付けの順序が異なっている。したがって、一つのパターンで組み付けている途中でもう一つのパターンによる組み付けに切り替えることができる。また、一つのパターンの組み方でも、模様を反転させる組み方がある。その場合、図１０の例のように、順番マークを外周側と内周側に分けて付し、内周側と外周側を途中で切り替えて使用することにより、製作される組紐の模様を反転させることができる。このようにして、デザイン性の高い、あるいは創作性の高い組紐を製作することができる。
【００６９】
[その他の変形実施例]
先の説明に、スタートマーク１３３は、奇数の順番マークに対応して付され、偶数の順番マークは、奇数番の位置にある糸を組み付けるにときに受け入れるために空いている、とあったが、これに限定されるものではない。
【産業上の利用可能性】
【００７０】
本発明に係る組紐製作用テンプレートおよび組紐製作器具は、手動的な操作によって組紐を製作することを主として想定しており、手芸品、美術工芸品としての組紐の製作に適している。本発明に係る組紐製作用テンプレートおよび組紐製作器具を使用することによって、目的のパターンの組紐の制作手順を迅速に習得することができる。組紐製作用テンプレートを交換すれば、別のパターンの組紐を製作することができるため、あらゆる種類の組紐を製作するための練習器具としても有効である。
【符号の説明】
【００７１】
１０    組台
１１    ベース板
１２    天板
１３    支柱
１６    位置決めピン
１７    孔    
２０    位置決め部材
３０    テンプレート
３１    位置決め孔
３２    糸位置マーク（順番マーク）
３３    スタートマーク（スタートマーク表示部）
３４    組紐が通る孔
３５    スリット
【図１】
2020084374.tif 000003
【図２】
2020084374.tif 000004
【図３】
2020084374.tif 000005
【図４】
2020084374.tif 000006
【図５】
2020084374.tif 000007
【図６】
2020084374.tif 000008
【図７】
2020084374.tif 000009
【図８】
2020084374.tif 000010
【図９】
2020084374.tif 000011
【図１０】
2020084374.tif 000012
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
中央部に制作中の組紐が通る孔を有し、組台に装着して使用する組紐製作用テンプレートであって、
前記組台の天板に周方向に一定間隔で設けられている複数のピンを貫通させるための複数の孔と、
複数の糸を導くための目印として周方向に一定間隔で付されている前記孔と同数の糸位置マークと、
初めに糸を通す位置を示す前記糸の数に対応した数のスタートマークと、
前記糸を交差させる順番を示す順番マークと、を有し、
前記複数の孔と前記複数の糸位置マークは、半径方向の位置を異ならせて内周側と外周側に位置し、
前記糸位置マークと前記孔は、周方向において相互の中間に位置しており、
前記複数の孔は、それぞれ前記複数のピンを貫通させて前記組台との相対位置を決め、
前記複数の孔を貫通する前記複数のピンに、前記糸位置マークを通る前記糸をガイドさせる組紐製作用テンプレート。
【請求項２】
前記糸位置マークは、最も外側の周縁部に付されている請求項１記載の組紐製作用テンプレート。
【請求項３】
製作する組紐のパターンごとに、前記スタートマークの位置と前記順番マークで示される順番が異なる請求項１または２記載の組紐製作用テンプレート。
【請求項４】
前記順番マークは、前記糸位置マークの位置に数字で付されている請求項１乃至３のいずれかに記載の組紐製作用テンプレート。
【請求項５】
組台と、前記組台の天板に装着されるテンプレートを有してなる組紐製作器具であって、
前記テンプレートは、請求項１乃至４のいずれかに記載の組紐製作用テンプレートであり、
前記組台の天板の外周部には、前記糸位置マークを通る糸を放射状に導くために、前記糸位置マークの数と同じ数のピンが周方向に一定間隔で前記天板の上端面から突出して設けられている組紐製作器具。
【手続補正２】
【補正対象書類名】明細書
【補正対象項目名】０００９
【補正方法】変更
【補正の内容】
【０００９】
本発明に係る組紐製作用テンプレートは、
中央部に制作中の組紐が通る孔を有し、組台に装着して使用する組紐製作用テンプレートであって、
前記組台の天板に周方向に一定間隔で設けられている複数のピンを貫通させるための複数の孔と、
複数の糸を導くための目印として周方向に一定間隔で付されている前記孔と同数の糸位置マークと、
初めに糸を通す位置を示す前記糸の数に対応した数のスタートマークと、
前記糸を交差させる順番を示す順番マークと、を有し、
前記複数の孔と前記複数の糸位置マークは、半径方向の位置を異ならせて内周側と外周側に位置し、
前記糸位置マークと前記孔は、周方向において相互の中間に位置しており、
前記複数の孔は、それぞれ前記複数のピンを貫通させて前記組台との相対位置を決め、
前記複数の孔を貫通する前記複数のピンに、前記糸位置マークを通る前記糸をガイドさせることを最も主要な特徴とする。
【手続補正３】
【補正対象書類名】明細書
【補正対象項目名】００１０
【補正方法】変更
【補正の内容】
【００１０】
本発明に係る組紐製作器具は、
組台と、前記組台の天板に装着されるテンプレートを有してなる組紐製作器具であって、
前記テンプレートは、請求項１乃至４のいずれかに記載の組紐製作用テンプレートであり、
前記組台の天板の外周部には、前記糸位置マークを通る糸を放射状に導くために、前記糸位置マークの数と同じ数のピンが周方向に一定間隔で前記天板の上端面から突出して設けられていることを特徴とする。
【手続補正４】
【補正対象書類名】明細書
【補正対象項目名】００２０
【補正方法】変更
【補正の内容】
【００２０】
図１において、テンプレート３０は、組台１０の上端部すなわち天板１２の上面に装着して使用するもので、天板１２とほぼ同じ円形である。図１（ａ）に示すように、テンプレート３０は、外周縁部において周方向に一定間隔で複数の孔３１を有している。各孔３１は、それぞれの直径が前記ピン１６の直径とほぼ同じで、ピン１６の数と同じ数だけ、かつピン１６の周方向の間隔と同じ間隔で設けられている。したがって、各孔３１に天板１２の各ピン１６を貫通させることができ、こうすることにより、テンプレート３０を組台１０に位置決めして装着することができる。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
中央部に制作中の組紐が通る孔を有し、組台に装着して使用する組紐製作用テンプレートであって、
前記組台の天板に周方向に一定間隔で設けられている複数のピンを貫通させるための複数の孔と、
複数の糸を導くための目印として周方向に一定間隔で付されている前記孔と同数の糸位置マークと、
初めに糸を通す位置を示す前記糸の数に対応した数のスタートマークと、
前記糸を交差させる順番を示す順番マークと、を有し、
前記複数の孔と前記複数の糸位置マークは、半径方向の位置を異ならせて外周側と内周側に位置し、
前記糸位置マークと前記孔は、周方向において相互の中間に位置しており、
前記複数の孔は、それぞれ前記複数のピンを貫通させて前記組台との相対位置を決め、
前記複数の孔を貫通する前記複数のピンに、前記糸位置マークを通る前記糸をガイドさせる組紐製作用テンプレート。
【請求項２】
前記糸位置マークは、最も外側の周縁部に付されている請求項１記載の組紐製作用テンプレート。
【請求項３】
製作する組紐のパターンごとに、前記スタートマークの位置と前記順番マークで示される順番が異なる請求項１または２記載の組紐製作用テンプレート。
【請求項４】
前記順番マークは、前記糸位置マークの位置に数字で付されている請求項１乃至３のいずれかに記載の組紐製作用テンプレート。
【請求項５】
組台と、前記組台の天板に装着されるテンプレートを有してなる組紐製作器具であって、
前記テンプレートは、請求項１乃至４のいずれかに記載の組紐製作用テンプレートであり、
前記組台の天板の外周部には、前記糸位置マークを通る糸を放射状に導くために、前記糸位置マークの数と同じ数のピンが周方向に一定間隔で前記天板の上端面から突出して設けられている組紐製作器具。
【手続補正２】
【補正対象書類名】明細書
【補正対象項目名】０００９
【補正方法】変更
【補正の内容】
【０００９】
本発明に係る組紐製作用テンプレートは、
中央部に制作中の組紐が通る孔を有し、組台に装着して使用する組紐製作用テンプレートであって、
前記組台の天板に周方向に一定間隔で設けられている複数のピンを貫通させるための複数の孔と、
複数の糸を導くための目印として周方向に一定間隔で付されている前記孔と同数の糸位置マークと、
初めに糸を通す位置を示す前記糸の数に対応した数のスタートマークと、
前記糸を交差させる順番を示す順番マークと、を有し、
前記複数の孔と前記複数の糸位置マークは、半径方向の位置を異ならせて外周側と内周側に位置し、
前記糸位置マークと前記孔は、周方向において相互の中間に位置しており、
前記複数の孔は、それぞれ前記複数のピンを貫通させて前記組台との相対位置を決め、
前記複数の孔を貫通する前記複数のピンに、前記糸位置マークを通る前記糸をガイドさせることを最も主要な特徴とする。